(57)【要約】      （修正有）【課題】車椅子の装着部材にひっかかり難く、ほどけ難く、水をこぼしたり雨に濡れたりしてもさらには長期間使用しても外部の汚れが付き難い介護用プロテクターを提供すること。【解決手段】介護を受ける人が車椅子に乗車又は降車する際に使用する介護用プロテクター１であって、合成樹脂等の非透水性素材からなる表布１１と、柔軟性且つ緩衝性を有する素材からなる裏布１２とを有し、表布１１と裏布１２とは平面略逆台形状に表裏一体連結され、肘当て、レッグパイプ、フットプレート等の車椅子の装着部材に当接する介護を受ける人の腕や足の何れかの部位に、平面略逆台形状の上辺長幅側１１４を上方肘又は膝側とし下辺短幅側１１５を下方手首又は足首側として巻き付けるとともに、表布１１と裏布１２の表面に対向配設された雌雄面ファスナー１３の係着および解除によって着脱せしめる。【選択図】図１
2005171412.tif 000002
【特許請求の範囲】
【請求項１】
介護を受ける人が車椅子に乗車又は降車する際に使用する介護用プロテクターであって、
合成樹脂等の非透水性素材からなる表布と、
柔軟性且つ緩衝性を有する素材からなる裏布とを有し、
前記表布と裏布とは、平面略逆台形状に表裏一体連結され、
肘当て、タイヤ付き大輪、ふくらはぎパッド、レッグパイプ、フットプレート、レッグレスト等の車椅子の装着部材に当接する介護を受ける人の腕や足の何れかの部位に、前記平面略逆台形状の上辺長幅側を上方肘又は膝側とし下辺短幅側を下方手首又は足首側として巻き付けるとともに、
前記表布と裏布の表面に対向配設された雌雄面ファスナーの係着および解除によって着脱することを特徴とする介護用プロテクター。
【請求項２】
裏布は、足の肌の汗を吸収することの可能な吸汗性素材であることを特徴とする請求項１に記載の介護用プロテクター。
【請求項３】
裏布は、腕の肌の汗を吸収することの可能な吸汗性素材であることを特徴とする請求項１又は請求項２に記載の介護用プロテクター。
【請求項４】
裏布は、ガーゼ素材、包帯素材、タオル素材の何れかであることを特徴とする請求項１乃至３の何れか１項に記載の介護用プロテクター。
【請求項５】
介護を受ける人の肘から手首間又は膝から足首間の部位に巻き付けることを特徴とする請求項１乃至４の何れか１項に記載の介護用プロテクター。
【請求項６】
表布と裏布との間に中間布を配設したことを特徴とする請求項１乃至５の何れか１項に記載の介護用プロテクター。
【発明の詳細な説明】
【技術分野】
【０００１】
本発明は、老人や腕又は足の怪我人などの介護を受ける人が、車椅子の乗車又は降車時に腕や足に巻き付けて着用する介護用プロテクターに関するものである。
【背景技術】
【０００２】
特許文献１によれば、図１４及び図１５に示すごとく、「防錆効果が大幅に向上する車椅子９」が提案されている。
車椅子９は、一般に、図１４のに示すごとく「折りたたみ式」の車椅子９と図示はしないが「固定式」の車椅子９とがあり、そして、図１５に示すごとく、上記「折りたたみ式」の車椅子９には、図１５の（イ）に示すごとく、「背折れ折りたたみノブ付き」の「介助車タイプ」と、図１５の（ロ）に示すごとく、「安全ベルト付き」の「介助車タイプ」の車椅子９と、図１５の（ハ）に示すごとく、「リクライニング・タイプ」の車椅子９とがある。また、図１６に示すごとく、前方ロックレバータイプ（イ）、後方ロックレバータイプ（ロ）及びハンドブレーキタイプ（ロ）を併用するものがある。
【０００３】
上記車椅子９は、図１４乃至図１６に示すごとく、フットプレート９１と、前輪キャスター車輪９２と、タイヤ付き大輪９３と、車体フレーム９４と、座席シート部９６と、その両脇きの肘当て９５と、背もたれ（ベッドレスト）９７と、枕９８、ブレーキ又は固定具９９とを有する。なお、レッグパイプ９１１の近傍には、レッグレスト９１２が装着され、上記ハンドブレーキ９９の近傍には、後方ロックレバー９９１が装着されている。
【０００４】
そして、図１５の（ハ）に示すごとく、「リクライニング・タイプ」には、座席シート部９６とフットプレート９１との間に、折りたたみ式の「ふくらはぎパット」９０を有するものがある。また、図１４及び図１５に示すごとく、前記「フットプレート」９１は、「レッグパイプ」９１１により支承されている。
【０００５】
また、前記「前輪キャスター車輪」９２は、キャスターフォーク９２１により支承されている。しかも、前記「フットプレート」９１は、折りたたみ式のものが多く、常時、乗車時には、折りたたまれた状態、即ち収納された状態になっているものが多い。
【０００６】
一方、非特許文献１には、１７１頁乃至１９４に、主として綿製品である「寝具類」として、例えば「ふとんカバー」、「敷きぶとんカバー」、「タオルケット」、「シーツ（敷き布）」、「寝巻き」、「枕カバー」、「ふとん代用品」などが記載されている。
そして、上記「綿製品」の特性として、「吸湿性」、「吸水性」、「透湿性」、「保温性」、「汗吸収性」などが記載されている。
そのため、綿製品は、現在、多くの用途に使用されている。
【０００７】
そして、老人や腕又は足を怪我した人などの介護を受ける人は、従来、例えば包帯（図示略）を肘から手首又は膝から足首間等に巻き付けることにより、外傷部や腕又は足の何れかの部位を保護している。
また、介護を受ける人は、腕又は足の何れかの部位に「サポータ」を巻き付けるのが、一般的であった。
【特許文献１】特開平１１−２４４３３５号公報
【非特許文献１】「繊維・繊維製品」著作者；代表者：  足立  達雄発行所；実業出版株式会社
【発明の開示】
【発明が解決しようとする課題】
【０００８】
しかしながら、包帯による腕や足などの外傷部の保護は、包帯が車椅子９のフットプレート９１などの装着部材に「ひっかかり易く」、「ほどけ易く」、また「汚れ易い」欠点がある。また、「サポーター」（図示略）は、ゴムひもを布の内部に多数内蔵したものが多く、身体に長時間着用していると締め付けがきつくなる。またその着用部における腕や足の肌の汗の吸収が困難であという問題がある。しかもこれら包帯やサポーターは腕や足に巻き付けたりはかせる作業、或いは解く作業や脱がせる作業が大変でありその着脱に時間がかかる場合が多い。さらには着脱作業の際患部に痛みを伴い易い。
【０００９】
そして特に介護を受ける人が車椅子を使用する場合には、車椅子９の乗車又は降車時において、例えば足首の上部やスネ部等がうっかりと前記車椅子９における「レッグパイプ」９１１、「フットプレート」９１などの装着部材にぶつかって当接部位が痛んだり、或いは足のふくらはぎ部が「ふくらはぎパット」９０、「レッグレスト」９４に長時間当接し該レッグレスト９４等からの反射的な押圧力を受けて痛くなる、或いは当該部位が患部であればなおさら痛い、だんだん痛くなるくなどの問題があった。
【００１０】
一方、腕の場合においても、車椅子９の「肘当て」９５やタイヤ付き大輪９３等に患部や痩せた老人の腕などが当接すると、「肘当て」にクッション材が備えられている場合であっても痛みを生じるという問題があった。
【００１１】
本発明は、上述の諸問題に鑑みてなされたものであり、その解決しようとする課題は、車椅子の装着部材にひっかかり難く、ほどけ難く、水をこぼしたり雨に濡れたりしてもさらには長期間使用しても外部の汚れが付き難い介護用プロテクターを提供すること、また腕や足その他の身体の動きが不自由な老人や患者に対しても腕や足への着用および取り外し作業が極めて容易であって瞬時に行うことができ、且つ着脱時、着用時の全体を通して痛みや不必要な着用圧力がなく、しかも腕や足が車椅子の装着部材と当接する場合において、当該車椅子の装着部材から受ける押圧力に起因する腕や足の痛みを減少させることが可能な、簡単且つ安価に形成できる介護用プロテクターを提供することにある。
【課題を解決するための手段】
【００１２】
本発明者は、上記課題を解決するため、請求項１乃至請求項６に記載された発明を創出するに至ったものである。なお、本発明の内容を具体的に説明するために、実施例１〜３の説明等で使用する図面の符号を用いて、以下詳細に説明する。
【００１３】
まず、請求項１に記載された発明が採った手段は、介護を受ける人７が車椅子９に乗車又は降車する際に使用する介護用プロテクター１であって、合成樹脂等の非透水性素材からなる表布１１と、柔軟性且つ緩衝性を有する素材からなる裏布１２とを有し、表布１１と裏布１２とは平面略逆台形状に表裏一体連結され、肘当て９５、タイヤ付き大輪９３、ふくらはぎパッド９０、レッグパイプ９１１、フットプレート９１、レッグレスト９４等の車椅子９の装着部材に当接する介護を受ける人７の腕や足７１の何れかの部位に、前記平面略逆台形状の上辺長幅側１１４を上方肘又は膝側とし下辺短幅側１１５を下方手首又は足首側として巻き付けるとともに、表布１１と裏布１２の表面に対向配設された雌雄面ファスナー１３の係着および解除によって着脱することを特徴とする介護用プロテクター１である。
【００１４】
次に、請求項２に記載された発明が採った手段は、裏布１２は、足の肌の汗を吸収することの可能な吸汗性素材であることを特徴とする、請求項１に記載の介護用プロテクター１である。
【００１５】
請求項３が採った手段は、裏布１２は、腕の肌の汗を吸収することの可能な吸汗性素材であることを特徴とする、請求項１又は請求項２に記載の介護用プロテクター１である。
【００１６】
そして、請求項４に記載された発明が採った手段は、裏布１２は、ガーゼ素材、包帯素材、タオル素材の何れかであることを特徴とする、請求項１乃至３の何れか１項に記載の介護用プロテクター１である。
【００１７】
さらに、請求項５に記載された発明が採った手段は、介護を受ける人の肘から手首間又は膝から足首間の部位に巻き付けることを特徴とする、請求項１乃至４の何れか１項に記載の介護用プロテクター１である。
【００１８】
請求項６が採った手段は、表布１１と裏布１２との間に、中間布を配設したことを特徴とする、請求項１乃至５の何れか１項に記載の介護用プロテクター１である。
【発明の効果】
【００１９】
上記のごとく、本発明は、請求項１〜請求項６に記載された本各発明は、下記に示すような諸々の効果を奏するものである。
【００２０】
まず、請求項１に記載された発明によれば、前記表布１１と裏布１２とは、平面略台形状に表裏一体連結されている。そのため、介護用プロテクター１は、腕や足の何れかの部位に巻き付ける時に、上方肘又は膝側は太く一方下方手首又は足首側は細いというこれら腕や足の形態に沿うように均等に巻き付けることができる。よって、手首や足首側のみを余計に巻き付けなければならない、またその為に当該足首側等の巻き付け部分のみが分厚く不均等に突出し邪魔になる、或いは分厚く突出した部分のみが車椅子９の部材と当接し部分的な押圧による部分的な痛みが生じる等の不都合がない。
【００２１】
そして、介護用プロテクター１を例えば足の何れかの部位に巻き付ければ、車椅子９の乗車又は降車時において、車椅子９の下方の「フットプレート」９１、「レッグパイプ」９１１、「前輪キャスター車輪」９２、「キャスターフォーク」９２１、「クロス金具」９１２、「ふくらはぎパット」９０などの部分に足が直接に当接することがないのは勿論のこと、足は本介護用プロテクター１の裏布１２と当接するために、足或いは患部などに感じる痛みは軽減され、或いは無くなる。
【００２２】
一方介護用プロテクター１の表布１１１は、人合皮革や塩ビレザー等の各種の布で構成されているため、表面が柔らかい従来のゴムを織り込んだサポーターや包帯とは異なり表面素材の一定張力によって１点押圧などの部分的部位における押圧力を広範囲に拡散分散し弱めることとなる。そして上記裏布１２の柔軟性能及び緩衝性能と協働して、介護用プロテクター１が装着された腕や足の部位を保護（プロテクト）し外圧からの痛みを遮断し或いは軽減させる。
【００２３】
さらに、介護用プロテクター１の表布１１の表面に対向配設された雌雄面ファスナー１３（図１〜図３及び図８、図９参照）の係着および解除によって着脱が迅速容易になる。
【００２４】
以上つまりは、本介護用プロテクターによれば、車椅子の装着部材にひっかかり難く、ほどけ難く、また水をこぼしたり雨に濡れたりしてもさらには長期間連続使用しても外部の水や汚れが付き難い。また腕や足その他の身体の動きが不自由な老人や患者に対しても腕や足への着脱作業が極めて容易かつ早く行うことができ、また着用時の痛みや不必要な装着圧力がなく、特には車椅子の装着部材との当接部から受ける押圧力に起因する腕や足の痛みを減少させることが可能となる。また特殊な部材や素材を使用する必要が無いために、安価に製造し提唱することができる。
【００２５】
次に、請求項２に記載された発明によれば、裏布１２は足の肌の汗を吸収することが可能な吸汗性素材であるため、例えば夏期シーズンで半ズボンやスカート等をはいた男性や女性の足に直接に巻き付けた場合には、足の肌の汗を吸収を迅速容易に吸収することができる。
【００２６】
更に、請求項３に記載された発明によれば、上記請求項の場合と同様に、裏布１２は腕の肌の汗を吸収することが可能な吸汗性素材であるため、例えば半袖シャツの老人や手術後の看護用ノースリーブ衣服を着た患者の腕に直接に巻き付けた場合には、腕の汗が迅速容易に吸収される。さらに下着や寝間着等の薄手の生地を身につけて腕が露出していない場合であっても、生地を通して表出した汗は上記同様に吸収され、汗が車椅子の装着部材等に付着して当該部分での湿った不愉快な感覚が無くなり、車椅子の装着部材等の衛生が保たれる。
【００２７】
更にまた、請求項４に記載された発明によれば、上記裏布１２は、ガーゼ素材、包帯素材、タオル素材などの綿（木綿）製品などの何れかの素材であるため、保温性で肌ざわりが良好で汗を十分に吸収する。
【００２８】
そして、請求項５に記載された発明によれば、介護を受ける人７の腕の肘から手首間、又は足の膝から足首間に巻き付ける介護用プロテクター１であるため、介護者が一般的に必要とするこれら腕や足の広汎な範囲における保護が一括して一度になされ、且つ広汎な範囲において、プロテクター１の着脱を一括して一度に、迅速容易に行うことができる。
【００２９】
そして、請求項６に記載された発明によれば、表布１１と裏布１２との間に、中間布１９０が配設されているため、クッション性やプロテクター効果が一層向上する。つまり腕又は足の何れかの部位が、車椅子９の乗車又は降車時に各種の車椅子９の装着部材に当接しても、一層痛みを感じることがなく、外傷を受けたり、衝撃に対して十分に保護される。
【発明を実施するための最良の形態】
【００３０】
本発明に係る介護用プロテクター１の最良の形態につき、実施例及び図面を用い、かつ、請求項１〜請求項６に記載された発明と対応させながら、符号を付して具体的に説明する。
【００３１】
まず、図１は、本発明の実施例１に係る介護用プロテクター１を、表布１１と裏布１２とがともに一面側に顕出するよう略半分に折りたたんだ平面図である。
上記表布１１としては、例えばレーヨン、ポリノジック、キュプラ、アセテート、トリアセテート、ナイロン（登録商標）、ビニロン、ビニリデン、ポリ塩化ビニール（レザー）、ポリエステル、アクリル、ポリエチレン、ポリプロピレン、ポリウレタンなどの各種の布類の他に、パイロキシンレザ、ゴム引布、擬皮革、皮革、人工皮革、スパンテックス（高弾性繊維）などの非透水性材料、或いは木綿、絹、麻等の天然素材の表面に例えばポリウレタン樹脂コーティング等を施して防水性や多少の硬質性を付加したものにより構成することができる。
また、表布１１は、機械的性能、例えば布の引張り強さ、非透水性材料、伸び、引き裂き強さ、衝撃性、硬軽性、弾性、すべり摩擦性などに優れるものが好適である。さらに「洗たく耐久性」に優れた実用的な布が良い。
【００３２】
上記裏布１２としては、例えばガーゼ素材、タオル素材、包帯素材のほかに、寝具シーツ、枕カバー等に用いられるメリヤスなどの綿類により構成することができる。なお、柔軟性且つ緩衝性を付与することが可能なものであれば、主原料を綿（木綿）とした上記例示の布類の糸等との混紡布であっても良い。汗などの水分を吸収し、透湿性、保温性に優れ、かつ肌ざわりの良い布であればどのような布であっても良い。タオルやシーツは、その構成する繊維と密着な関係があり、一般に含気率の大きい布は吸水性が良い。特にニット綿は、伸縮性に富み、よこメリヤスはたてメリヤスよりも更に伸縮性が大きい特徴がある。
【００３３】
また、裏布１２は、保健的機能、例えば清潔感、洗たく性、防かび性、防しわ性、撥水性、耐久性などに優れるものであれば一層好ましい。
【００３４】
雌雄面ファスナー１３としては、例えばマジックテープ（登録商標）があり、これは図８及び図９に示すごとく、互いに引き掛けられるように「鉤止部材」例えば「開口鉤」１３２１又は「キノコ型小片」１４２１に「ループ」１３１１が係止される。本介護用プロテクター１の一端には雌面ファスナーが他端には雄面ファスナーが設けられており、これらが相互に瞬時に係着し、解除されて本介護用プロテクター１が容易に着脱される。
【００３５】
次に、表裏一体連結部１４としては、例えば介護用プロテクター１の周縁部を後述する「各種の縫合手段」（図１０の（イ）、（ロ）、（ハ）、（ニ）参照）により一体連結される。また、図１、図２，図３に示すごとく、例えば斜め縫いによる略菱形状の「キルティング縫い」によっても、表布１１と裏布１２とは表裏一体連結される。
【００３６】
そして、縫合方法としては、例えば、図１０の（イ）、（ロ）、（ハ）、（ニ）に示すごとく、「本縫い」（イ）「あじろ縫い」（ロ）、「千鳥縫い」、（ハ）、「二重環縫い」（ニ）などがあり、その他に「チェーンステッチ」、「ロックステッチ」、「シームカップリング」などの各種の縫合方法（例えばミシン、ニードリングパンチング使用）を適用することができる。
【００３７】
一方、中間布１９０としては、例えば図６（イ）、（ロ）、図７（イ）、（ロ）に示すごとく２〜５枚の天然素材の布や、前記例示の人工皮革、塩化ビニル発泡体、ウレタン発泡体、強靱な擬皮革などを用いることができ、柔軟性、屈曲性（ベンディング特性）、緩衝性を増強させるものであることが好ましい。なお必要に応じて耐水性（非透水性）を備えた中間布１９０とすれば、一層防水性、耐久性が向上する。
【００３８】
これにより、車椅子９の肘宛て９５、大輪９３、ふくらはぎパット９０、フットプレート９１、レッグパイプ９１１、レッグレスト９４などが、介護を受ける人の腕や足に当接しても十分な緩衝性を付与することができると共に、老人や怪我人の患部に対する「痛み」を感じさせることを一層緩和したり、完全に防止することも可能となり、さらには介護用プロテクター１の全体における洗たく耐久性を向上せしめる。
【００３９】
介護用プロテクター１の大きさや長さは、請求項５に係る介護用プロテクター１を除き、腕や足に巻き付けて着用できる幅、長さ、大きさがあれば良く特には限定されない。例えば腕や足の付け根から手首又は足首までを広範囲に覆う大きく長いものであっても良く、一方、腕の肘や足の膝部分のみ、或いは足のふくらはぎ部分であって車椅子のレッグレスト９１２に当接する部分にのみ着用するための狭範囲の短いものであっても良い。
【００４０】
次に図１乃至図１３に基づいて、実施例１から実施例３を詳細に説明する。なお本発明に係る介護用プロテクター１はこれら実施例１から実施例３に記載の態様に限られるものではない。発明の本質である「特許請求の範囲」に記載された構成を有する限り、図や実施例を変形し、また改良することができる。
【実施例１】
【００４１】
本例の介護用プロテクター１は、足の膝から足首間に巻き付けるための介護用プロテクター１であり、図１〜図３に示すごとく、足において膝部が太く足首側が一般的に細くなっていることに対応して表布１１と裏布１２とが平面略逆台形状１１３に縫合されており、上方膝側１１４と下方足首側１１５とを有している。そしてこの介護用プロテクター１の周縁部には、表裏一体連結のための装飾的な縁取り部（ポッピング）１４を有する縁取り布（シェームビンディング）が設けられている。この介護用プロテクター１は、表布１１も裏布１２のいずれも、斜め縫いにより菱形を形成した「キルティング」１１０、１２０を有する。
【００４２】
そして、本例の介護用プロテクター１は、図６の（イ）に示すごとく、２枚のポリエステル布１１１、１２１からなる中間布１９０を有する。
【００４３】
また、本例の介護用プロテクター１は、図８及び図９の（イ）に示すごとく、上方に「ループ」１３１１を有し、下方に「開口鉤」１３２１を有する、いわゆる「マジックテープ」（登録商標）１３１、１３２が所定の箇所に装着されている。
【００４４】
また、本例の介護用プロテクター１は、図１０の（イ）に示すごとく、断面形状が連結六角形状の「本縫い」と称される、ロックスティックによるミシン縫合形状３を有する。なお、この他に、図１０の（ニ）に示すごとく、「二重環縫い」を採用することができる。表布１１又は裏布１２の縫合部分を更に強固にするためである。
【００４５】
次に、介護を受ける人７が足の膝から下の部位に、本例に係る介護用プロテクター１を着用して車椅子９に乗車する状態の作動を、図１１乃至図１２の（１）乃至（６）を用いて説明する。
【００４６】
まず、図１１の（１）に示すごとく、介護を受ける人７をベッド７５の端部に座らせて、或いは寝かせたまま（図示せず）、その足７１に本例の介護用プロテクター１を膝から足首間に巻き付けることにより、両手７２、７２又は両足７１、７１を保護（プロテクト）する。次に、図１１の（２）に示すごとく、ゴム車輪付き大輪９３を動かすことにより、上記ベッド７５の端部近傍に車椅子９を移動させる。
【００４７】
そして、図１１の（３）に示すごとく、介護を受ける人７の背中に介護人８が両手を回し、両手を握り合う。その後、介護人８の片足８１を介護を受ける人７の両足７１、７２の股の間に軽く入れる。更に、図１２の（４）に示すごとく、介護人８が介護を受ける人７を軽く抱えて約半回転して、介護を受ける人７を車椅子９の座席シート９６の上に乗せる。この時、ロックレバー９１２などを必ずロック（閉じる）しておくことが肝要である。
【００４８】
この場合において、介護を受ける人７の足７１が、うっかりと車椅子９の下方装着部材である例えば「フットプレート」９１、「レッグパイプ」９１１にぶつかるという状態が、またその後は足のふくらはぎ等を「レッグレスト」９４、「ふくらはぎパット」９０などに当接支持させて足を固定したり、足の疲労を防ぐという状態が発生する。
【００４９】
しかしながら、図１２の（５）に示すごとく、介護を受ける人７は両足７１、７２又は片足に介護用プロテクター１を装着しているため、足７１に感じる「痛み」を減少せしめて座席シート部９６の上に座らせることができる。また介護用プロテクター１の表面が車椅子９の装着部材に引っかかり解けてしまうという不具合も生じ難い。
【００５０】
そして、図１２の（６）及び図１３に示すごとく、介護人８は、介護を受ける人７の背中側に両手８２、８２にまわし、両手８２、８２の指を軽く絡み合わせた状態で、軽く介護を受ける人７を抱き上げて、座席シート９６上を滑らせるようにする。そして、車椅子９の枕９７に介護を受ける人８の頭が付くように引き寄せて安静状態を維持させるのである。なお、介護用プロテクター１が腕に装着するためのプロテクター１である場合でも、同様な使用方法、使用状態となる。
【００５１】
したがって、本例によれば、図４及び図５に示すごとく、介護を受ける人７の足７１や腕・手７２などの部位に車椅子９の装着部材が当接しても「引っかかり」や「痛み」「外傷」の発生を減少させることができ、安全に且つやさしく車椅子９への乗車又は降車をさせることができる。またそのままの状態で介護用プロテクター１を着用し続けても、従来のサポーターと異なり巻き付け具合、締め付け具合は一定であるから、不必要な締め付けは発生せず、快適に使用することができる。
【実施例２】
【００５２】
介護を受ける人７の足７１の外傷部に介護用プロテクター１を装着した後、車椅子９の「レッグパイプ」９９１又は「レッグレスト」９４に介護用プロテクター１が当接した状態を示す図４及び図５に示す本例の介護用プロテクター１は、実施例１に係る介護用プロテクター１の断面図を図６（イ）の断面図のものに代えて図６の（ロ）の断面図のものにするものである。
この介護用プロテクター１は、図６の（イ）に示すごとく、中央部に不織１４０とその上下両側にポリウレタン発泡体１１３、１２１を有し、裏布１１はタオル素材により構成し、表布１２は塩化ビニール樹脂レザー（略して「塩ビレザー」という）により構成したものである。
【００５３】
そして、実施例１における雌雄面ファスナー１３（図８及び図９（イ）参照）に代えて、図９の（ロ）に示すごとく、上方布１３１に「ループ」１３１１を有し、これに対応して下方布１４２に「キノコ型小片」１４２１を有する雌雄面ファスナー１３（通称「マジックテープ」）により構成したものである。
【００５４】
また、本例は、実施例１における「本縫い」に代えて、図１０の（ロ）に示すごとく、「あじろ縫い」４により構成したものである。そして、その他の構成は、実施例１と同様の構成にした。
したがって、本例によれば、腕又は足の何れかの部位１に介護用プロテクター１を巻き付ける態様において、同様の効果を奏するものである。
【実施例３】
【００５５】
本例は、表布１１を「引き布」とし、他方裏布１２は木綿とし、中間布１９０は、アクリル繊維布とした他は、実施例１又は実施例２と同様の構成とした。
【００５６】
なお、上記実施例１〜実施例３を、比較例である「従来のサポータ」を使用した場合（比較例１）と、「包帯のみ」を使用した場合（比較例２）と諸項目について、対比表を次に示す。
【００５７】
【表１】
2005171412.tif 000003
【００５８】
同表には、周縁縫合部（ポッピング）は比較例２を除き「あり」とし、介護を受ける人７即ち使用者は、同表に示すごとく、「老人」、「足外傷者」、「腕外傷者」である。また、介護者（介護人の負担）及び車椅子９の装着部材の当接の有無及びその当接部を比較例を記した。
そして、従来との比較評価の欄には、「着脱時間」、車椅子の乗車又は降車時の「痛み」の有無、足又は腕部の「汗の吸収状態」、「洗濯リサイクル利用性」について、その優劣を主観的評価により比較した。
以上のごとく、本発明によれば、従来の「サポータ」や「包帯」のみに比較して、いずれも優れていることが判明した。
【図面の簡単な説明】
【００５９】
【図１】本発明の実施例１に係る介護用プロテクターの略半分を折りたたんだ表布と裏布の両面を示す平面図である。
【図２】本発明の実施例１に係る介護用プロテクターの表布面を示す全体平面図である。
【図３】本発明の実施例１に係る介護用プロテクターの裏布面を示す全体平面図である。
【図４】本発明の実施例２に係る介護用プロテクターの使用状態を示す側面図である。
【図５】本発明の実施例２に係る介護用プロテクターの使用状態を示す下方一部斜視図である。
【図６】（イ）は、本発明の実施例１に係る介護用プロテクターの一部断面図である。同図の（ロ）は、本発明の実施例２に係る介護用プロテクターの一部断面図である。
【図７】（イ）は、本発明の実施例３に係る介護用プロテクターの一部断面図である。同図の（ロ）は、本発明の別態を示す介護用プロテクターの一部断面図である。
【図８】本発明において使用される介護用プロテクターの雌雄面ファスナーの斜視図である。
【図９】（イ）は、本発明の実施例１において使用される介護用プロテクターの雌雄面ファスナーの側面図である。同図の（ロ）は、本発明の実施例２において使用される介護用プロテクターの雌雄面ファスナーの側面図である。
【図１０】（イ）は、本発明の実施例１において使用される表布と裏布との縫合状態を示す一部断面図である。同図の（ロ）は、本発明の実施例２において使用される表布と裏布との縫合状態を示す一部断面図である。同図の（ハ）は、本発明の実施例３において使用する表布と裏布との縫合状態を示す一部断面図である。同図の（ニ）は、本発明において使用される「二重環縫い」の側面断面図である。
【図１１】本発明の実施例１における介護を受ける人に介護用プロテクターを膝から足首間に巻き付けて車椅子に乗せる状態を示す作動図である。
【図１２】本発明の実施例１における介護を受ける人に介護用プロテクターを膝から足首間に巻き付けて車椅子に乗せる状態を示す作動図である。
【図１３】本発明の実施例１における介護を受ける人を車椅子の背もたれに引き寄せる状態を示す斜視図である。
【図１４】（イ）は、従来より使用されている「折りたたみ式の車椅子」の側面斜視図である。同図の（ロ）は、従来より使用されている「固定式の車椅子」の側面斜視図である。
【図１５】（イ）は、従来より使用されている「背折れ折りたたみ式の介助車の前方斜視図である。同図の（ロ）は、従来より使用されている「ベルト付き背もたれ付きの車椅子」の前方斜視図である。同図の（ニ）は、従来より使用されている「リクライニング・タイプ車椅子」の前方斜視図である。
【図１６】従来より使用されている「折りたたみ式の車椅子」の使用図である。
【符号の説明】
【００６０】
１：介護用プロテクター
１１：介護用プロテクターの表布
１２：介護用プロテクターの裏布
１３：介護用プロテクターの雌雄面ファスナー
１４：表裏一体連結の縁取り
１１４：介護用プロテクターの上辺長幅側
１１５：介護用プロテクターの下辺短幅側
７：介護を受ける人
８：介護する人
９：従来より使用されている車椅子
【図１】
2005171412.tif 000004
【図２】
2005171412.tif 000005
【図３】
2005171412.tif 000006
【図４】
2005171412.tif 000007
【図５】
2005171412.tif 000008
【図６】
2005171412.tif 000009
【図７】
2005171412.tif 000010
【図８】
2005171412.tif 000011
【図９】
2005171412.tif 000012
【図１０】
2005171412.tif 000013
【図１１】
2005171412.tif 000014
【図１２】
2005171412.tif 000015
【図１３】
2005171412.tif 000016
【図１４】
2005171412.tif 000017
【図１５】
2005171412.tif 000018
【図１６】
2005171412.tif 000019